(57)【特許請求の範囲】
【請求項１】
ラゲージルームの上面開口部を覆うように設けられたトノボード本体の上面に、小物収納部及びこの小物収納部に収納された小物を保持する伸縮自在な押さえベルトを設けた自動車のラゲージルーム用トノボードにおいて、一端側がラゲージボード本体に固着された押さえベルトの他端側に、押さえベルトの張力を調整する係止手段を設けており、該係止手段を、押さえベルトの端部に取付けられた係止環と、トノボード本体の裏面に前後方向に間隔を存して固着され、かつ前記係止環が係脱自在な複数のフックより形成してなることを特徴とする自動車のラゲージルーム用トノボード。
【請求項２】
ラゲージルームの上面開口部を覆うように設けられたトノボード本体の上面に、小物収納部及びこの小物収納部に収納された小物を保持する伸縮自在な押さえベルトを設けた自動車のラゲージルーム用トノボードにおいて、一端側がラゲージボード本体に固着された押さえベルトの他端側に、押さえベルトの張力を調整する係止手段を設けており、該係止手段を、押さえベルトの端部に取付けられた雌または雄ホックと、トノボード本体の裏面に前後方向に間隔を存して固着され、かつ前記雌または雄ホックが係脱自在な複数の雌または雄ホックより形成してなることを特徴とする自動車のラゲージルーム用トノボード。
【請求項３】
押さえベルトの一端側をトノボード本体の一端側裏面に固着することにより、押さえベルトの一端側で、トノボード本体の一側裏面に収納した荷物を保持できるようにしてなる請求項１又は請求項２に記載の自動車のラゲージルーム用トノボード。
【請求項４】
トノボード本体の一端側裏面に端部が固着された押さえベルトの一端側に、ネットの両端を取付けることにより、ネット内に小物を収納できるようにしてなる請求項３記載の自動車のラゲージルーム用トノボード。
【発明の詳細な説明】
【０００１】
【発明の属する技術分野】
この発明は自動車のラゲージルームに使用するトノボードに関する。
【０００２】
【従来の技術】
従来乗用車などの自動車には、車体の後部に荷物などを積載するラゲージルームが設けられている。
【０００３】
また従来のラゲージルームには図１０に示すように、ラゲージルームａに積載した荷物が車外より見えないように、ラゲージルームａの上面をトノボードｂで覆うようにしたものである。
【０００４】
上記トノボードｂは、ラゲージルームａの上面開口とほぼ同じ大きさの板体などから形成されていて、一端側である前端側はヒンジｃによりラゲージルームａの前側開口縁に枢着されていると共に、他端側である後端側は吊り紐ｄによりリヤゲートｅに接続されていて、リヤゲートｅを上方へ開放すると、トノボードｂも上方へ開放されるため、ラゲージルームａへの荷物などの積み卸しが容易に行えるようになっている。
【０００５】
一方従来のトノカバーｂには、図１１に示すように、トノカバーｂの上面を凹入させることにより、小物ｆなどを収納する小物収納部ｇを設けたものがある。
【０００６】
前記従来の小物収納部ｇには、両端側にゴムなどの伸縮自在な材料により形成された押さえベルトｈが設けられていて、小物収納部ｇに収納した小物ｆをこれら押さえベルトｈで押さえ付けることにより、リヤゲートｅを開放した際や、自動車の走行中に、小物収容部ｇより小物ｆが落下しないようにしている。
【０００７】
【発明が解決しようとする課題】
しかし従来のトノボードｂの小物収納部ｇに設けられた押さえベルトｈは長さが一定のため、押さえベルトｈで保持できる小物ｆの大きさに制約があり、大きな荷物を無理に保持すると、押さえベルトｈの伸縮性が損なわれて、小物ｆの保持ができなくなったり、押さえベルトｈが破断して、使用不能になるなどの不具合があった。
【０００８】
この発明はかかる従来の不具合を改善するためになされたもので、小物収納部に収納できる小物の大きさに制約を受けることが少なく、かつ裏面のデッドスペースも有効利用できる自動車のラゲージルーム用トノボードを提供することを目的とするものである。
【０００９】
【課題を解決するための手段】
前記目的を達成するための請求項１記載の発明は、ラゲージルームの上面開口部を覆うように設けられたトノボード本体の上面に、小物収納部及びこの小物収納部に収納された小物を保持する伸縮自在な押さえベルトを設けた自動車のラゲージルーム用トノボードにおいて、一端側がラゲージボード本体に固着された押さえベルトの他端側に、押さえベルトの張力を調整する係止手段を設けており、該係止手段を、押さえベルトの端部に取付けられた係止環と、トノボード本体の裏面に前後方向に間隔を存して固着され、かつ前記係止環が係脱自在な複数のフックより形成してなるものである。
【００１０】
前記構成により、係止手段により押さえベルトの張力を調整することにより、小物収納部に収納した大きさの小さい小物から、大きさの大きい小物まで、押さえベルトにより確実に保持することができる。
【００１２】
また、前記構成により、小物収納部に収納する小物の大きさに合わせて、係止環を係止するフックを選択することにより、押さえベルトの張力が容易に調整できるようになる。
【００１３】
前記目的を達成するための請求項２記載の発明は、ラゲージルームの上面開口部を覆うように設けられたトノボード本体の上面に、小物収納部及びこの小物収納部に収納された小物を保持する伸縮自在な押さえベルトを設けた自動車のラゲージルーム用トノボードにおいて、一端側がラゲージボード本体に固着された押さえベルトの他端側に、押さえベルトの張力を調整する係止手段を設けており、該係止手段を、押さえベルトの端部に取付けられた雌または雄ホックと、トノボード本体の裏面に前後方向に間隔を存して固着され、かつ前記雌または雄ホックが係脱自在な複数の雌または雄ホックより形成したものである。
【００１４】
前記構成により、係止手段により押さえベルトの張力を調整することにより、小物収納部に収納した大きさの小さい小物から、大きさの大きい小物まで、押さえベルトにより確実に保持することができ、また、小物収納部に収納する小物の大きさに合わせて、雌または雄ホックを係止する雄または雌ホックを選択することにより、押さえベルトの張力が容易に調整できるようになる。
【００１５】
前記目的を達成するための請求項３記載の発明は、押さえベルトの一端側をトノボード本体の一端側裏面に固着することにより、押さえベルトの一端側で、トノボード本体の一側裏面に収納した荷物を保持できるようにしたものである。
【００１６】
前記構成により、押さえベルトを使用して、トノボード本体裏面のデットスペースに傘などの長尺な荷物が収納できるため、デットスペースの有効利用が図れるようになる。
【００１７】
前記目的を達成するための請求項４記載の発明は、トノボード本体の一側裏面に端部が固着された押さえベルトの一端側に、ネットの両端を取付けることにより、ネット内に小物を収納できるようにしたものである。
【００１８】
前記構成により、押さえベルトに取付けたネットを使用して、トノボード本体裏面のデッドスペースに小物を収納することができるため、デットスペースの有効利用が図れるようになる。
【００１９】
【発明の実施の形態】
この発明の実施の形態を図１ないし図５に示す図面を参照して詳述する。
【００２０】
図１はラゲージルーム用トノボードの表面側の斜視図、図２は図１のＡ−Ａ線に沿う断面図、図３はトノボードの裏面側の斜視図、図４はベルト係止手段の拡大斜視図、図５はベルト係止手段の変形例を示す説明図である。
【００２１】
これら図において１はトノボード本体で、自動車の車体後部に設けられたラゲージルーム（何れも図示せず）の上面開口部を覆える大きさの板体により形成されており、周縁には下方へ屈曲された周壁１ａが全周に亘って形成されている。
【００２２】
また前記トノボード本体１には、上面を凹入させることにより車幅方向に細長い長方形状の小物収納部２が形成されており、この小物収納部２の両端側には、例えば２本の押さえベルト３が前後方向に設けられている。
【００２３】
前記各押さえベルト３は、ゴムなどの伸縮自在な材料により形成されていて、一端側は小物収納部２の前側底部に開口された長孔状のベルト孔２ａに上方より挿通された後、端部はトノボード本体１の裏面に固着されており、他端側は小物収納部２の後側底面に開口された長孔状のベルト孔２ｂに上方より挿通され、端部に係止手段４の係止環４ａが取付けられている。
【００２４】
前記係止手段４は、押さえベルト３の他端に取付けられた係止環４ａと、この係止環４ａを係止する複数のフック４ｂよりなり、各フック４ｂは図４に示すように、小物収納部２の裏面に前後方向に間隔を存して例えば３個ずつ固着されていて、これらフック４ｂに選択的に係止環４ａを引掛けることにより、押さえベルト３の張力が小物５の大きさに応じて調整できるようになっている。
【００２５】
なお係止手段４は、図５に示す変形例のように、押さえベルト３の端部に取付けられた雌ホック４ｃと、小物収納部２の裏面に固着された複数の雄ホック４ｄより構成してもよく、雌ホック４ｃと雄ホック４ｄは逆に取付けてもよい。
【００２６】
次に前記構成されたトノボードの作用を説明すると、トノボード本体１上の小物収納部２に小物５を収納する場合は、収納する小物５の大きさに合わせて、係止手段４の係止位置を調整する。
【００２７】
すなわち収納する小物５が小さい場合は、押さえベルト３の端部に取付けられた係止環４ａまたは雌ホック４ｃを、小物収納部２の裏面に固着されたフック４ｂまたは雄ホック４ｄのうち、前側のフック４ｂまたは雄ホック４ｄに係止する。
【００２８】
これによって押さえベルト３の張力が増すため、小物収納部２に収納した小物５をこれら押さえベルト３で図２に示すように押さえ付けることにより、大きさの小さい小物５でも確実に保持することができる。
【００２９】
また大きさの大きい小物５を収納するときには、係止環４ａまたは雌ホック４ｃを、中間もしくは後側のフック４ｂまたは雄ホック４ｄに図４の（ロ）または図５の（ロ）に示すように係止する。
【００３０】
これによって押さえベルト３の張力が減少するので、大きさの大きい小物５でも無理なく保持することができる。
【００３１】
以上のようにして小物収納部２に収納した小物５を押さえベルト３で保持することにより、リヤゲートを開放した際や、自動車の走行中に、小物収納部２より小物５が落下するのを防止することができる。
【００３２】
一方図６ないし図９は、トノボードの変形例を示すもので、次にこれを説明する。
【００３３】
図６及び図７は前記実施の形態で説明した押さえベルト３の一端側を、トノボード本体１の前縁に形成された周壁１ａにタッカなどの止着手段６により固着することにより、トノボード本体１裏面のデットスペースに傘などの長尺な荷物７などを収納できるようにしたものである。
【００３４】
すなわち小物収納部２へ納まらないような長尺な荷物７は、トノボード本体１の前側裏面に収納して、両端側を図６に示すように押さえベルト３で押さえることにより、トノボード本体１裏面のデットスペースを利用して長尺な荷物７を収納できるため、デットスペースの有効利用が図れる。
【００３５】
また図８及び図９に示すように、端部をトノボード本体１の前側周壁１ａに固着した押さえベルト３の一端側に、ネット８の両端を取付けることにより、トノボード本体１裏面のデットスペースに、ネット８を利用して小物５を収納することも可能になると共に、予めネット８の両端に環状部８ａを形成して、この環状部８ａに押さえベルト３を挿通することにより、ネット８を取付けるようにすれば、押さえベルト３の伸縮に影響を与えずにネット８の取付けが可能になる。
【００３６】
【発明の効果】
この発明は以上詳述したように、トノボード本体の小物収納部に収納された小物を保持する押さえベルトの他端側に、小物収納部に収納する小物の大きさに応じて張力を調整する係止手段を設けたことから、小物収納部に収納した大きさの小さい小物から、大きさの大きい小物まで、押さえベルトにより確実に保持することができる。
【００３７】
これによって小物収納部に収納できる小物の大きさに制約を受けることが少なくなるため、小物収納部の利用価値が大幅に向上すると共に、押さえベルトを無理に伸ばして小物を押さえ付ける必要がないので、押さえベルトの伸縮性が損なわれて、大きさの小さい小物の保持ができなくなったり、押さえベルトが破断して使用不能になるなどの不具合を解消することができる。
【００３８】
また係止手段を、押さえベルトの端部に取付けられた係止環と、トノボード本体の裏面に前後方向に間隔を存して固着され、かつ前記係止環が係脱自在な複数のフックより形成したことから、小物収納部に収納する小物の大きさに合わせて、係止環を係止するフックを選択することにより、押さえベルトの張力が容易に調整できると共に、係止手段を係止環とフックにより簡単に形成できるため、安価に提供することができる。
【００３９】
さらに押さえベルトの一端側をトノボード本体の一端側裏面に固着することにより、押さえベルトの一端側で、トノボード本体の一側裏面に収納した荷物を保持できるようにしたことから、押さえベルトを使用して、トノボード本体裏面のデットスペースに傘などの長尺な荷物が収納できるため、デットスペースの有効利用が図れるようになると共に、トノボード本体の一端側裏面に端部が固着された押さえベルトの一端側に、ネットの両端を取付けることにより、ネット内に小物を収納できるようにしたことから、押さえベルトに取付けたネットを使用して、トノボード本体裏面のデットスペースに小物を収納することができるため、デットスペースの有効利用が図れるようになる。
【図面の簡単な説明】
【図１】この発明の実施の形態になる自動車のラゲージルーム用トノボードの表面側の斜視図である。
【図２】図１のＡ−Ａ線に沿う断面図である。
【図３】この発明の実施の形態になる自動車のラゲージルーム用トノボードの裏面側の斜視図である。
【図４】（イ）及び（ロ）はこの発明の実施の形態になる自動車のラゲージルーム用トノボードに設けられた係止手段の拡大斜視図である。
【図５】（イ）及び（ロ）はこの発明の実施の形態になる自動車のラゲージルーム用トノボードに設けられた係止手段の変形例を示す斜視図である。
【図６】この発明の実施の形態になる自動車のラゲージルーム用トノボードの変形例を示す斜視図である。
【図７】図６のＢ−Ｂ線に沿う断面図である。
【図８】この発明の実施の形態になる自動車のラゲージルーム用トノボードの変形例を示す斜視図である。
【図９】図８のＣ−Ｃ線に沿う断面図である。
【図１０】従来のラゲージルーム用トノボードを示す斜視図である。
【図１１】従来のラゲージルーム用トノボードを示す斜視図である。
【符号の説明】
１    トノボード本体
１ａ  周壁
２    小物収納部
２ａ，２ｂ  ベルト孔
３    押さえベルト
４    係止手段
４ａ  係止環
４ｂ  フック
４ｃ  雌ホック
４ｄ  雄ホック
５    小物
６    止着手段
７    荷物
８    ネット
８ａ  環状部
【図１】
0004150139.tif 000002
【図２】
0004150139.tif 000003
【図３】
0004150139.tif 000004
【図４】
0004150139.tif 000005
【図５】
0004150139.tif 000006
【図６】
0004150139.tif 000007
【図７】
0004150139.tif 000008
【図８】
0004150139.tif 000009
【図９】
0004150139.tif 000010
【図１０】
0004150139.tif 000011
【図１１】
0004150139.tif 000012